(57)【要約】【課題】接続台に対するリレー本体の着脱を従来構成に比べて簡易にかつ小さい力で行うことができるリレー装置を提供する。【解決手段】リレー本体Ａは、差込式の端子２〜４が突出した器体１の背面において、上面と端子２〜４との間から突出する引掛突起５を有する。引掛突起５は、リレー本体Ａを接続台に対して着脱する際に、接続台に設けられた突起受け面に対して引っ掛かるように接触する。引掛突起５を突起受け面に接触させた状態で、引掛突起５における突起受け面との接触部位を支点として端子２〜４の挿抜方向に器体１を回転させることによって、接続台に対してリレー本体Ａが着脱される。【選択図】図１
2006179311.tif 000002
【特許請求の範囲】
【請求項１】
差込式の端子が器体の一面から突出したリレー本体と、リレー本体が着脱可能に取り付けられリレー本体が取り付けられた状態でリレー本体の端子が挿入接続される接続台とを備え、リレー本体は、器体における端子が突出した一面において当該一面に隣接する器体の他面と端子との間から突出し、接続台に対して端子を挿抜する際に、接続台に設けられた突起受け面に引っ掛かるように接触することにより突起受け面との接触部位が器体の回転の支点となる引掛突起を有することを特徴とするリレー装置。
【請求項２】
前記リレー本体の前記端子は複数本あって一列に列設されており、前記引掛突起は、前記器体において前記端子と一直線上に配置されていることを特徴とする請求項１記載のリレー装置。
【請求項３】
前記リレー本体と前記接続台とは複数種類ずつあってそれぞれ組み合わせが決まっており、リレー本体と接続台との組み合わせが正しいときにのみ嵌合するようにリレー本体と接続台との組み合わせ毎に凹部と凸部との配置が異なる一対の組間違い防止凹凸部が、前記器体において接続台に突き合わされる一面と接続台において器体に突き合わされる一面とのそれぞれに設けられていることを特徴とする請求項１または請求項２に記載のリレー装置。
【請求項４】
前記器体側の前記組間違い防止凹凸部は、前記リレー本体が前記接続台に取り付けられた状態で視認可能な部位に形成されていることを特徴とする請求項３記載のリレー装置。
【請求項５】
前記器体側の前記組間違い防止凹凸部は、前記引掛突起の周囲に設けられていることを特徴とする請求項３または請求項４記載のリレー装置。
【請求項６】
前記接続台は、前記リレー本体が取り付けられた状態で前記器体に突き合わされる一面において前記引掛片との間に前記端子を挟む位置に保持片を有しており、保持片と器体において保持片に接触する部位との一方に係合突片が突設されるとともに、他方に係合突片と係合する係合孔が形成されていることを特徴とする請求項１ないし請求項５のいずれか１項に記載のリレー装置。
【請求項７】
前記リレー本体は、前記接続台に取り付ける際の前記器体の回転方向を示す矢印を表記するとともに、接続台から取り外す際の器体の回転方向を示す矢印を表記した施工表示部を器体において接続台に突き合わされる一面以外の部位に有することを特徴とする請求項１ないし請求項６のいずれか１項に記載のリレー装置。
【請求項８】
互いに結合された前記リレー本体および前記接続台を前記端子の挿入方向の両側から挟んで弾性保持する一対の取付爪を有した連接取付板に取り付け可能とするために、連接取付板の取付爪が係合する取付穴がリレー本体と接続台とのそれぞれに設けられており、リレー本体および接続台は、リレー本体の取付穴に差し込まれる治具を用いてリレー本体の取付穴に係合している取付爪を弾性に抗して取付穴から外すことによって連接取付板から取り外されるものであって、リレー本体は、取付穴から取付爪を外すために用いられる前記治具を取付穴内に案内する案内溝を取付穴の内周面に有することを特徴とする請求項１ないし請求項７のいずれか１項に記載のリレー装置。
【請求項９】
前記リレー本体は、接点に接続され前記器体において前記接続台に突き合わされる一面以外の部位から露出する接続端子と、器体に取り付けられることにより接続端子を覆う端子カバーとを備え、器体は、形状が異なる複数種類の端子カバーを種類毎に位置決めするカバー位置決め部を複数種類有することを特徴とする請求項１ないし請求項８のいずれか１項に記載のリレー装置。
【請求項１０】
前記リレー本体は、接点を手動で開閉するように操作される手動レバーを備え、手動レバーは、前記器体において前記接続台に突き合わされる一面以外の一面に凹設された操作凹所内に露出し、操作凹所は、手動レバーの一側方が開放されていることを特徴とする請求項１ないし請求項９のいずれか１項に記載のリレー装置。
【請求項１１】
前記リレー本体は、接点を手動で開閉するように操作される手動レバーを備え、手動レバーは、前記器体において前記接続台に突き合わされる一面以外の一面に凹設された操作凹所内に露出し、操作凹所は、手動レバーの両側が開放されていることを特徴とする請求項１ないし請求項９のいずれか１項に記載のリレー装置。
【請求項１２】
前記リレー本体は、前記器体において前記操作凹所が設けられた一面に沿って器体に取り付けられた書き込みが可能な銘板を備え、銘板は、一部が操作凹所の内周面に沿って取り付けられるように延長されていることを特徴とする請求項１０または請求項１１に記載のリレー装置。
【発明の詳細な説明】
【技術分野】
【０００１】
本発明は、差込式の端子を有したリレー本体を、リレー本体の端子が挿入接続される接続台に着脱可能に取り付けて成るリレー装置に関するものである。
【背景技術】
【０００２】
従来から、この種のリレー装置として、図１３に示すように、器体１の下面から端子２が突出したリレー本体Ａと、上方に突出した一対の結合アーム４３，４４の間にリレー本体を保持する接続台Ｂとで構成されるものがある。
【０００３】
一方（図の右方）の結合アーム４３における結合アーム４４との対向面には、リレー本体Ａの器体１の側面に突設された結合突起４５を導入するガイド溝４６が形成され、ガイド溝４６の底面の下端は結合突起４５に係合する結合孔４７に連続している。他方の結合アーム４４における結合アーム４３との対向面には、結合アーム４４の先端縁から下方に向かって結合アーム４３に近づくように底面が傾斜した導入溝４８が形成され、導入溝４８の下方にはリレー本体Ａの器体１の側面に突設された結合突起４５に係合する結合孔４７が設けられている。また、リレー本体Ａの両結合突起４５の下面は、器体１の側面から離れる向きに傾斜している。
【０００４】
このリレー装置は、リレー本体Ａの一方の結合突起４５をガイド溝４６の位置に合わせ、かつ他方の結合突起４５を導入溝４８の位置に合わせた状態で、端子２の突出方向に沿って器体１を下方に真っ直ぐ押し込むことにより、端子２が接続台Ｂに挿入接続されるとともに、器体１が一対の結合アーム４３，４４の間に挿入されて保持される。ここで、リレー本体Ａの各結合突起４５が結合孔４７にそれぞれ係合することにより、リレー本体Ａの抜け止めが為される（たとえば特許文献１参照）。
【特許文献１】特開平７−４５３４８号公報（第２頁、図２）
【発明の開示】
【発明が解決しようとする課題】
【０００５】
しかし、上述した構成では、接続台Ｂに対してリレー本体Ａを位置合わせするために、ガイド溝４６と導入溝４８との２箇所で位置合わせが必要であるから、接続台Ｂへのリレー本体Ａの取付が面倒である。また、接続台Ｂに対する端子２の挿抜には比較的大きい力を必要とすることがあるので、接続台Ｂへのリレー本体Ａの着脱に要する力を軽減することも望まれている。特に、リレー本体Ａが複数本の端子２を有していると、接続台Ｂへのリレー本体Ａの着脱に大きい力を必要とする。さらに、上述したリレー装置では、リレー本体Ａは図１３の左右逆向きでも器体１が接続台Ｂに保持されるから、接続台Ｂに対してリレー本体Ａを図１３の左右を入れ換えて取り付けてしまう可能性がある。
【０００６】
本発明は上記事由に鑑みて為されたものであって、接続台に対するリレー本体の着脱を従来構成に比べて簡易にかつ小さい力で行うことができるリレー装置を提供することを目的とする。
【課題を解決するための手段】
【０００７】
請求項１の発明では、差込式の端子が器体の一面から突出したリレー本体と、リレー本体が着脱可能に取り付けられリレー本体が取り付けられた状態でリレー本体の端子が挿入接続される接続台とを備え、リレー本体は、器体における端子が突出した一面において当該一面に隣接する器体の他面と端子との間から突出し、接続台に対して端子を挿抜する際に、接続台に設けられた突起受け面に引っ掛かるように接触することにより突起受け面との接触部位が器体の回転の支点となる引掛突起を有することを特徴とする。
【０００８】
この構成によれば、まず引掛突起を突起受け面に接触させ、次いで引掛突起における突起受け面との接触部位を支点として端子の挿入方向に器体を回転させることにより、リレー本体を接続台に取り付けることができる。すなわち、突起受け面に対して引掛突起を接触させるだけで接続台に対してリレー本体を位置合わせすることができるから、接続台に対するリレー本体の取付が従来構成に比べて簡易になる。また、器体において端子よりも支点から離れた部位を力点として押圧することにより器体を回転させて接続台に端子を挿入すれば、てこの原理によって、作用点となる端子は力点に加えられた力よりも大きな力によって接続台に挿入されることになる。つまり、接続台に対して端子を比較的小さい力で挿入することができる。リレー本体を接続台から取り外す際には、取り付け時とは逆向きに器体を回転させればよく、この場合にも、てこの原理を利用して接続台から端子を比較的小さい力で抜脱することができる。なお、回転の支点となる引掛突起は１箇所に設けられるので、接続台に対してリレー本体を逆向きに取り付けてしまうこともない。
【０００９】
請求項２の発明は、請求項１の発明において、前記リレー本体の前記端子が複数本あって一列に列設されており、前記引掛突起が、前記器体において前記端子と一直線上に配置されていることを特徴とする。
【００１０】
この構成によれば、接続台にリレー本体を取り付ける際には、複数本の端子は引掛突起側から順に１本ずつ接続台に挿入されるから、接続台に全ての端子が同時に挿入する場合に比べて小さい力で接続台にリレー本体を取り付けることができる。また、接続台からリレー本体を取り外す際には、複数本の端子は引掛突起とは反対側より順に１本ずつ接続台から抜脱されるので、接続台から全ての端子を同時に抜脱する場合に比べて小さい力で接続台からリレー本体を取り外すことができる。
【００１１】
請求項３の発明は、請求項１または請求項２の発明において、前記リレー本体と前記接続台とが複数種類ずつあってそれぞれ組み合わせが決まっており、リレー本体と接続台との組み合わせが正しいときにのみ嵌合するようにリレー本体と接続台との組み合わせ毎に凹部と凸部との配置が異なる一対の組間違い防止凹凸部が、前記器体において接続台に突き合わされる一面と接続台において器体に突き合わされる一面とのそれぞれに設けられていることを特徴とする。
【００１２】
この構成によれば、リレー本体が別の種類の接続台に間違って取り付けられることを防止できる。
【００１３】
請求項４の発明は、請求項３の発明において、前記器体側の前記組間違い防止凹凸部が、前記リレー本体が前記接続台に取り付けられた状態で視認可能な部位に形成されていることを特徴とする。
【００１４】
この構成によれば、組間違い防止凹凸部が常に視認可能であるから、リレー本体と接続台との種類の不一致を視覚的に知らせることができる。
【００１５】
請求項５の発明は、請求項３または請求項４の発明において、前記器体側の前記組間違い防止凹凸部が、前記引掛突起の周囲に設けられていることを特徴とする。
【００１６】
この構成によれば、組間違い防止凹凸部はリレー本体を接続台に取り付ける際にリレー本体において最初に接続台に接触する部位に設けられているので、組間違いが生じた場合に早期に取付作業を中断させることができ、組間違いによって延長される作業時間を比較的短く抑えることができる。
【００１７】
請求項６の発明は、請求項１ないし請求項５のいずれかの発明において、前記接続台が、前記リレー本体が取り付けられた状態で前記器体に突き合わされる一面において前記引掛片との間に前記端子を挟む位置に保持片を有しており、保持片と器体において保持片に接触する部位との一方に係合突片が突設されるとともに、他方に係合突片と係合する係合孔が形成されていることを特徴とする。
【００１８】
この構成によれば、接続台に対してリレー本体が取り付けられた状態では係合突片が係合孔に係合するから、接続台にリレー本体を取り付ける際に、接続台側にリレー本体をどれだけ押し込めばよいのか容易に判断できるようになるとともに、リレー本体が接続台から外れてしまうことを防止できるという効果を奏する。
【００１９】
請求項７の発明は、請求項１ないし請求項６のいずれかの発明において、前記リレー本体が、前記接続台に取り付ける際の前記器体の回転方向を示す矢印を表記するとともに、接続台から取り外す際の器体の回転方向を示す矢印を表記した施工表示部を器体において接続台に突き合わされる一面以外の部位に有することを特徴とする。
【００２０】
この構成によれば、接続台に対するリレー本体の着脱方法を作業者に示しているので、着脱作業の効率の向上が期待できる。また、誤った方法によってリレー本体が着脱されることを未然に防止できるから、リレー本体および接続台の破損防止にもつながる。
【００２１】
請求項８の発明では、請求項１ないし請求項７のいずれかの発明において、互いに結合された前記リレー本体および前記接続台を前記端子の挿入方向の両側から挟んで弾性保持する一対の取付爪を有した連接取付板に取り付け可能とするために、連接取付板の取付爪が係合する取付穴がリレー本体と接続台とのそれぞれに設けられており、リレー本体および接続台は、リレー本体の取付穴に差し込まれる治具を用いてリレー本体の取付穴に係合している取付爪を弾性に抗して取付穴から外すことによって連接取付板から取り外されるものであって、リレー本体は、取付穴から取付爪を外すために用いられる前記治具を取付穴内に案内する案内溝を取付穴の内周面に有することを特徴とする。
【００２２】
この構成によれば、リレー本体および接続台を連接取付板から取り外すための治具をリレー本体の取付穴内に差し込み易くなるので、リレー本体および接続台を連接取付板から取り外す作業が容易になるという効果につながる。
【００２３】
請求項９の発明は、請求項１ないし請求項８のいずれかの発明において、前記リレー本体が、接点に接続され前記器体において前記接続台に突き合わされる一面以外の部位から露出する接続端子と、器体に取り付けられることにより接続端子を覆う端子カバーとを備え、器体が、形状が異なる複数種類の端子カバーを種類毎に位置決めするカバー位置決め部を複数種類有することを特徴とする。
【００２４】
この構成によれば、器体は、１種類の端子カバーだけでなく、形状が異なる複数種類の端子カバーの位置決めが可能であるから、使用目的に合わせて端子カバーのみを交換することができる。
【００２５】
請求項１０の発明は、請求項１ないし請求項９のいずれかの発明において、前記リレー本体が、接点を手動で開閉するように操作される手動レバーを備え、手動レバーが、前記器体において前記接続台に突き合わされる一面以外の一面に凹設された操作凹所内に露出し、操作凹所が、手動レバーの一側方が開放されていることを特徴とする。
【００２６】
この構成によれば、手動レバーの一側方が開放されているから、手動レバーを操作し易いという利点がある。
【００２７】
請求項１１の発明は、請求項１ないし請求項９のいずれかの発明において、前記リレー本体が、接点を手動で開閉するように操作される手動レバーを備え、手動レバーが、前記器体において前記接続台に突き合わされる一面以外の一面に凹設された操作凹所内に露出し、操作凹所が、手動レバーの両側が開放されていることを特徴とする。
【００２８】
この構成によれば、手動レバーの両側が開放されているから、手動レバーを操作し易いという利点がある。また、器体を手動レバーの両側方のどちらから見ても操作凹所を有することを視認できるので、操作凹所を有さない他のリレー本体との識別が容易になる。
【００２９】
請求項１２の発明は、請求項１０または請求項１１の発明において、前記リレー本体が、前記器体において前記操作凹所が設けられた一面に沿って器体に取り付けられた書き込みが可能な銘板を備え、銘板が、一部が操作凹所の内周面に沿って取り付けられるように延長されていることを特徴とする。
【００３０】
この構成によれば、銘板は、操作凹所内にまで延長されているので、器体において書き込みが可能な領域が比較的広く確保され、比較的多くの情報を書き込むことができる。
【発明の効果】
【００３１】
本発明は、まず引掛突起を突起受け面に接触させ、次いで引掛突起における突起受け面との接触部位を支点として端子の挿入方向に器体を回転させることにより、リレー本体を接続台に取り付けることができるものである。すなわち、突起受け面に対して引掛突起を接触させるだけで接続台に対してリレー本体を位置合わせすることができるから、接続台に対するリレー本体の取付が従来構成に比べて簡易になる。また、器体において端子よりも支点から離れた部位を力点として押圧することにより器体を回転させて接続台に端子を挿入すれば、てこの原理によって、作用点となる端子は実際に力点に加えられた力よりも大きな力によって接続台に挿入されることになる。つまり、接続台に対して端子を比較的小さい力で挿入することができるという利点がある。リレー本体を接続台から取り外す際には、取り付け時とは逆向きに器体を回転させればよく、この場合にも、てこの原理を利用して接続台から端子を比較的小さい力で抜脱することができる。なお、回転の支点となる引掛突起は１箇所に設けられるので、接続台に対してリレー本体を逆向きに取り付けてしまうこともない。
【発明を実施するための最良の形態】
【００３２】
本実施形態のリレー装置は、図２に示すように、器体１に収納された接点（図示せず）を開閉することによって負荷（図示せず）への電力供給のオンオフを制御するリレー本体Ａと、リレー本体Ａが取り付けられた状態でリレー本体Ａに電気的に接続される接続台Ｂとで構成される。以下では、図２の上下を上下、左方を後方として説明する。
【００３３】
リレー本体Ａは、図１に示すように、左右方向の寸法が最も小さい薄箱状に形成された器体１を備える。器体１の背面からは、接続台Ｂに挿入接続される差込式の端子２〜４が後方に突出する。端子２〜４は、上下方向に複数本（ここでは５本）一列に並んで突出しており、器体１の背面において左上方に偏って配置される。各端子２〜４は、それぞれ前後方向に長く左右方向に薄い板状に形成されている。リレー本体Ａは、内部のコイル（図示せず）に通電するためのコイル端子と、接点に連動する補助接点（図示せず）に接続され接点の開閉を検出するために用いられる補助端子とを備えており、本実施形態では、器体１の背面から突出した端子２〜４のうち、下側の２本の端子２がコイル端子であって、上側の３本の端子３，４が補助端子である。補助端子のうち下側の２本の端子４は器体１内で互いに接続されており、後述する検出端子としても機能する。器体１は、端子２〜４を囲むように端子２〜４の周囲に立設された背面に沿う断面が矩形状の筒部１０を備える。
【００３４】
また、リレー本体Ａは、上述した接続台Ｂに挿入接続される端子２〜４とは別に、接点に接続された接続端子２５（図５参照）を備えており、器体１の上面と前面とに跨って接続端子２５を露出させる。接続端子２５は、負荷（図示せず）および電源（図示せず）が接続されるねじ付き端子であって、端子板２６および端子板２６に螺合する端子ねじ２７を備える。本実施形態では４個２組の接続端子２５が設けられており、接点を２組設けて各組の接点にそれぞれ一対の接続端子２５を接続する構成を採用しているが、１組の接点に対して２組の接続端子２５が並列に接続される構成としてもよい。ここでは、一対の接続端子２５の間には絶縁用の絶縁壁２８（図５参照）が配置され、各組の接続端子２５同士が上下方向に階段状に配置される。
【００３５】
ところで、本実施形態のリレー本体Ａは接点を手動で開閉することもできる。手動での接点の開閉は、器体１における上面の左端部に設けられた手動レバー１９を操作することによって行われる。手動レバー１９は、器体１の上面において下方に凹んだ操作凹所２０内に配置される。操作凹所２０は、前方ほど下方に凹むように傾斜した後側傾斜面２１と、後方ほど下方に凹むように傾斜した前側傾斜面２２とで形成される。手動レバー１９は、後側傾斜面２１に開口する操作窓２３から露出し、後側傾斜面２１に沿って前後方向に操作される。ここで、手動レバー１９が操作し易いように、操作凹所２０は左右方向の一方（ここでは左方）が開放されている。
【００３６】
一方、接続台Ｂは、図２に示すように、器体１の背面と同じ形状に後方に凹んだ取付凹所１１が前面に設けられている。リレー本体Ａは、この取付凹所１１に後端部が挿入された状態で接続台Ｂに取り付けられる。図２に示す接続台Ｂには、左右方向に複数個（ここでは４個）の取付凹所１１が並設されており、複数個（ここでは最大４個）のリレー本体Ａを取付可能である。ここで、接続台Ｂは、リレー本体Ａが取り付けられた状態で、一対の検出端間に上述した検出端子としての２本の端子４が接続される検出回路（図示せず）を備え、検出回路により検出端間の開放・短絡を監視することによって、各取付凹所１１のそれぞれにおいてリレー本体Ａが取り付けられているか否かを判断する。
【００３７】
次に、リレー本体Ａを接続台Ｂに取り付けるための構造について説明する。
【００３８】
リレー本体Ａにおいては、図１に示すように、筒部１０における外周面の上面から上方に突出する引掛突起５が設けられる。引掛突起５は、筒部１０の左右両端間に亘って筒部１０の後端部から器体１の背面に沿う形で突出しており、器体１の背面との間に間隙を有する。引掛突起５の先端面は、図３に示すように、器体１の背面側ほど引掛突起５の突出寸法を小さくするように傾斜する。
【００３９】
また、器体１の上面においては、後端部を後述する上側当接面６として下方に後退させる上側段差７が形成され、器体１の下面においては、後端部を後述する下側当接面８として上方に後退させる下側段差９が形成される。ここで、下側当接面８は上側当接面６に比べて前後方向に長く形成され、下側当接面８の中央部には、図４に示すように、左右方向に延長された突条片（係合突片）１７が突設される。突条片１７は、左右方向に直交する断面が円弧の一部となる形状に形成される。
【００４０】
一方、接続台Ｂは、取付凹所１１の上端部において、図３に示すように、取付凹所１１の内周面から下方に突出する噛合突起１２を備える。噛合突起１２は、リレー本体Ａが接続台Ｂに取り付けられた状態で、先端部が器体１の背面と引掛突起５との間の間隙に収まる突出寸法に設定される。さらに、接続台Ｂは、取付凹所１１にリレー本体Ａの後端部が挿入された状態で器体１の下側当接面８に当接するように、取付凹所１１の下側の周縁から前方に突出した保持片１３（図２参照）を備える。保持片１３には、器体１の突条片（係合突片）１７が係合する係合孔１８が貫設される。係合孔１８は、接続台Ｂに対してリレー本体Ａが確実に取り付けられた状態で突条片１７が嵌る位置に配置される。
【００４１】
以下に、リレー本体Ａを接続台Ｂに取り付ける過程について図２および図３を参照して説明する。
【００４２】
まず、リレー本体Ａは、器体１の背面を接続台Ｂに向けた状態で、器体１の背面と上面との間の角部が取付凹所１１に挿入される。つまり、リレー本体Ａは、図２のように接続台Ｂに対して傾いた状態で一部が取付凹所１１に挿入される。このとき、図３のように器体１の背面の上端部が噛合突起１２の前面に接触する。さらに、噛合突起１２の先端部は器体１の背面と引掛突起５との間の間隙に収まる。次いで、器体１の背面の全面が取付凹所１１に挿入される。このとき、噛合突起１２の背面が引掛突起５を引っ掛ける突起受け面として機能し、器体１は、引掛突起５が噛合突起１２に引っ掛かることにより、引掛突起５における噛合突起１２との接触部位を支点として図３において時計回りに回転する。ここで、器体１の背面と下側当接面８との間の角部は、接続台Ｂの保持片１３上を移動して取付凹所１１内に導入される。突条片１７が係合孔１８に嵌ると、リレー本体Ａの接続台Ｂへの取り付けが完了する。
【００４３】
この状態で、上側段差７が接続台Ｂの上端部の前端縁に当接し、下側段差９が保持片１３の前端縁に当接する。さらに、上側当接面６が取付凹所１１の内周面に当接するとともに、下側当接面８が取付凹所１１の内周面および保持片１３の上面に当接することにより、器体１の後端部が取付凹所１１内に保持されることになる。この状態において、端子２〜４は接続台Ｂに対して挿入接続されている。
【００４４】
本実施形態は、上述したように、引掛突起５を噛合突起１２に引っ掛けてリレー本体Ａの器体１を回転させることによりリレー本体Ａと接続台Ｂとを結合するものであるから、引掛突起５を噛合突起１２に引っ掛けるだけでリレー本体Ａと接続台Ｂとの位置合わせが容易にできる。さらに、支点となる引掛突起５における噛合突起１２との接触部位から比較的離れた部位（たとえば器体１の上面の前端部）を力点として押圧することにより、てこの原理によって、作用点となる端子２〜４を比較的小さい力で接続台Ｂに挿入することができる。しかも、この構成では、上下に一列に並んだ複数本の端子２〜４が接続台Ｂに一斉に挿入されるのではなく、引掛突起５側つまり上側から順に１本ずつ接続台Ｂに挿入されるので、接続台Ｂに端子２〜４をすべて同時に挿入する場合に比べて小さい力で取り付けが可能になるという利点もある。
【００４５】
また、突条片１７が係合孔１８に嵌ることにより取り付けが完了するから、取付凹所１１に対してリレー本体Ａをどこまで押し込めばよいのか容易に分かるようになるとともに、リレー本体Ａが接続台Ｂから外れてしまうことを防止できる。ここで、突条片１７は断面が円弧の一部となる形状に形成されているから、リレー本体Ａの取付時に接続台Ｂの下端部に引っ掛かることがなく、リレー本体Ａの取り外し時に係合孔１８の周縁に引っ掛かることはない。つまり、突条片１７が接続台Ｂへのリレー本体Ａの着脱を妨げることはない。
【００４６】
リレー本体Ａと接続台Ｂとが結合されたリレー装置は、図５に示すように、リレー本体Ａおよび接続台Ｂの下面に沿って配置される主板３８を有する連接取付板Ｃに取り付け可能である。連接取付板Ｃは、図６に示すように、互いに結合されたリレー本体Ａおよび接続台Ｂの下端部を端子２〜４の挿入方向の両側から挟んで保持する一対の取付爪３９，４０を有する。本実施形態では、上述したように接続台Ｂに対して最大４個のリレー本体Ａを同時に配置可能であるから、取付爪３９，４０は４組設けられる。接続台Ｂとリレー本体Ａとのそれぞれには、図７（ａ）に示すように、連接取付板Ｃの取付爪３９，４０が係合する取付穴４１（接続台Ｂ側については図示せず）が設けられている。
【００４７】
接続台Ｂの取付穴に係合する取付爪３９は、主板３８の一部が切り起こされて成り、リレー本体Ａの取付穴４１に係合する取付爪４０は、主板３８の一部に取り付けられるばね部材から成る。リレー本体Ａの取付穴４１に係合する取付爪４０は、他方の取付爪３９との間隔を広げる向きに可撓性を有しており、接続台Ｂの取付穴に取付爪３９を係合させた状態でリレー本体Ａを主板３８側に押圧すれば、リレー本体Ａの取付穴４１に取付爪４０が係合して連接取付板Ｃへのリレー装置の取付が完了する。
【００４８】
一方、リレー装置を連接取付板Ｃから取り外す場合には、マイナスドライバなどの治具（図示せず）をリレー本体Ａの取付穴４１に差し込んで取付爪４０を弾性に抗して取付穴４１から外す必要がある。ここで、リレー本体Ａの取付穴４１から取付爪４０を外すための治具を差し込み易いように、リレー本体Ａの取付穴４１の内周面においては、マイナスドライバの先端部を取付穴４１内に案内する案内溝４２が、図７（ｂ）に示すように、マイナスドライバの先端部が収まる幅で上方に凹設される。
【００４９】
ただし、図５のように接続台Ｂに複数個のリレー本体Ａが取り付けられている状態では、リレー本体Ａを１個ずつ連接取付板Ｃから取り外すことになる。つまり、１個のリレー本体Ａの取付穴４１から取付爪４０を外しただけでは、他のリレー本体Ａと接続台Ｂとが連接取付板Ｃに保持されたままであるから、連接取付板Ｃに取り付けられた接続台Ｂからリレー本体Ａを取り外す必要がある。リレー本体Ａを接続台Ｂから取り外す際には、上述した接続台Ｂへのリレー本体Ａの取り付けの過程を逆に行う。つまり、たとえば器体１の前端部を連接取付板Ｃから離れる向きに引っ張るなどして、引掛突起５における噛合突起１２との接触部位を支点として器体１を図３において反時計回りに回転させることにより、リレー本体Ａを接続台Ｂから取り外すことができる。このように、リレー本体Ａを接続台Ｂから取り外す際にも、てこの原理を利用して、接続台Ｂから端子２〜４を比較的小さい力で抜脱することができるという利点がある。
【００５０】
また、本実施形態のリレー本体Ａは上述したように器体１を回転させることにより接続台Ｂに対して着脱されるものであって、器体１を後方に並進移動させても接続台Ｂに取り付けることはできず、器体１を前方に並進移動させても接続台Ｂから取り外すことはできない。そこで、たとえば図２に示すように、リレー本体Ａを取り付ける際の器体１の回転方向を示す矢印を「取付方向」として表記するとともに、リレー本体Ａを取り外す際の器体１の回転方向を示す矢印を「取り外し方向」として表記した施工表示部１４を、たとえば器体１の右側側面などに設けることにより、施工者がリレー本体Ａの着脱方法を容易に理解できるようにすることが望ましい。接続台Ｂにリレー本体Ａが取り付けられた状態では、引掛突起５などの結合構造が露出せずリレー本体Ａの着脱の方法が理解し難い可能性があるが、施工表示部２３を設けておけば誤った方法によってリレー本体Ａが着脱されることを未然に防止でき、着脱作業の効率の向上だけでなく、リレー本体Ａおよび接続台Ｂの破損防止にもつながる。
【００５１】
さらに、本実施形態では、図２に示すように、器体１の背面と上面との間の角部における右端部において、凹部と凸部とが左右方向に並設されることにより第１の組間違い防止凹凸部１５が形成されている。一方、接続台Ｂには、リレー本体Ａが取り付けられた状態で第１の組間違い防止凹凸部１５に対応する部位に、第１の組間違い防止凹凸部１５が嵌る第２の組間違い防止凹凸部１６が設けられている。これにより、たとえば別システムに展開した場合に、第１および第２の組間違い防止凹凸部１５，１６の形状をシステム毎にそれぞれ設定することにより、本実施形態の接続台Ｂに対して別システムのリレー本体Ａ’を取り付けようとしても、図８に示すように、第１の組間違い防止凹凸部１５’が第２の組間違い防止凹凸部１６に嵌らないから、器体１の背面と上面との間の角部の取付凹所１１への侵入が禁止され、システム間の誤挿入が防止される。しかも、第１および第２の組間違い防止凹凸部１５，１６は、接続台Ｂにリレー本体Ａを取り付ける際でも常に視認可能な部位に設けられているから、施工者は第１および第２の組間違い防止凹凸部１５，１６を視認することにより誤挿入か否かを知ることができる。
【００５２】
器体１の上面には、図９のように、使用者がたとえばリレー番号などを書き込むことができる銘板２４が取り付けられる。銘板２４は、手動レバー１９の操作を妨げない範囲で、書き込みが可能な領域を比較的広く確保するために、一部が操作凹所２０の内周面に沿って取り付けられるように延長されることが望ましく、図９では、延長された部位が前側傾斜面２２に取り付けられる。
【００５３】
ところで、器体１において接続端子２５が設けられた部位には、図９に示すように、接続端子２５を覆う端子カバー２９が取り付けられるが、本実施形態では、図１０に示すように、器体１の上面に沿う板状の主片３０と主片３０の前端縁から下方に延長された垂下片３１とで構成され、主片３０に接続端子２５の端子ねじ２７を露出させるねじ透孔３２が設けられ、垂下片３１に電線（図示せず）を挿通可能な電線透孔３３が設けられた端子カバー２９を取付可能とする。端子カバー２９の主片３０の左右両側縁には、左右方向に突出する一対の取付突起３４が設けられる。この端子カバー２９が器体１に取り付けられた状態で端子カバー２９を位置決めするカバー位置決め部としては、図１０に示すように、器体１の左右方向の各側壁と絶縁壁２８との対向面にそれぞれ前後方向に延長され前方に開放されたカバー用溝３５が形成されている。端子カバー２９は、取付突起３４をカバー用溝３５に前方から挿入することにより、器体１の左右方向の各側壁と絶縁壁２８との間に位置決めされる。この端子カバー２９を取り付けた状態では、ねじ透孔３２を通して接続端子２５の端子ねじ２７を回すことができる。一方、端子ねじ２７を露出させる必要がない場合には図９および図１０とは別の端子カバー２９’を取り付けることもできる。この端子カバー２９’は、図１１に示すように、器体１の上面に沿う板状であって、器体１の左右方向の各側壁と絶縁壁２８との対向面における上端部に設けられたカバー取着凹部３６（図１０参照）と、カバー取着凹部３６の前方に設けられたカバー取着突起３７（図１０参照）とによって、器体１の左右方向の各側壁と絶縁壁２８との間にそれぞれ位置決めされる。つまり、カバー取着凹部３６およびカバー取着突起３７が端子カバー２９’を位置決めするカバー位置決め部として機能する。
【００５４】
また、図１２に示すように、操作凹所２０が左右方向の両方が開放されるように器体１の左右方向の両端間にわたって操作凹所２０を形成してもよく、この場合には、操作凹所２０が左右方向の一方に開放される場合より手動レバー１９が操作し易くなり、また、器体１を左右いずれの向きから見ても操作凹所２０を有することを視認できるので操作凹所２０がない他のリレー本体との識別が容易になる。
【００５５】
なお、リレー装置が取り付けられた連接取付板Ｃをたとえば制御盤などの盤（図示せず）に取り付けることによって、リレー装置を盤に位置固定することができる。リレー装置は、盤に位置固定された状態で、リレー本体Ａにおける手動レバー１９が露出した一面を正面とするように、図５の左上方を上方、右下方を下方として配置される。
【図面の簡単な説明】
【００５６】
【図１】本発明の実施形態のリレー本体を示す斜視図である。
【図２】同上の取付の過程を示す斜視図である。
【図３】同上の取付の過程を示す要部の断面図である。
【図４】同上の構成を示す斜視図である。
【図５】同上の構成を示す斜視図である。
【図６】同上に用いる連接取付板を示す斜視図である。
【図７】同上のリレー本体の構成を示し、（ａ）は斜視図、（ｂ）は要部の斜視図である。
【図８】同上の構成を示す要部の斜視図である。
【図９】同上のリレー本体を示す斜視図である。
【図１０】同上のリレー本体を示す斜視図である。
【図１１】同上のリレー本体の他の構成を示す斜視図である。
【図１２】同上のリレー本体の他の構成を示す斜視図である。
【図１３】従来例を示す要部の断面図である。
【符号の説明】
【００５７】
１  器体
２〜４  端子
５  引掛突起
１２  噛合突起（突起受け面）
１３  保持片
１４  施工表示部
１５，１６  組間違い防止凹凸部
１７  突条片（係合突片）
１８  係合孔
１９  手動レバー
２０  操作凹所
２４  銘板
２５  接続端子
２９，２９’  端子カバー
３５  カバー用溝（カバー位置決め部）
３６  カバー取着凹部（カバー位置決め部）
３７  カバー取着突起（カバー位置決め部）
３９，４０  取付爪
４１  取付穴
４２  案内溝
Ａ  リレー本体
Ｂ  接続台
Ｃ  連接取付板
【図１】
2006179311.tif 000003
【図２】
2006179311.tif 000004
【図３】
2006179311.tif 000005
【図４】
2006179311.tif 000006
【図５】
2006179311.tif 000007
【図６】
2006179311.tif 000008
【図７】
2006179311.tif 000009
【図８】
2006179311.tif 000010
【図９】
2006179311.tif 000011
【図１０】
2006179311.tif 000012
【図１１】
2006179311.tif 000013
【図１２】
2006179311.tif 000014
【図１３】
2006179311.tif 000015